(57)【特許請求の範囲】
【請求項１】
モータと、
該モータを内蔵するハウジングと、
該ハウジングに回動可能に設けられたレバーと、
該ハウジングと該レバーとの間に介在し、該レバーが回動不能な状態でＯＦＦ状態になり該モータへの通電を遮断し、該レバーが回動した状態でＯＮ状態になり該モータへの通電を許容するスイッチと、を備え、
該レバーには該レバーを回動不能にするオフロック部材が設けられ、
該オフロック部材には、該スイッチの一部が設けられ、
該オフロック部材が第一の方向若しくは該第一の方向とは反対の方向である第二の方向に移動することにより該スイッチはＯＮ状態になることを特徴とする電動工具。
【請求項２】
該レバーは、該ハウジングの一端側に第一回動軸部を有し該第一回動軸部から他端側へと向かって延出される第一レバーと、該ハウジングの他端側に第二回動軸部を有し該第二回動軸部から一端側へと向かって延出される第二レバーとを有し、
該オフロック部材は、該第一レバーの延出方向先端と該第二レバーの延出方向先端との間に介在していることを特徴とする請求項１に記載の電動工具。
【請求項３】
モータと、
該モータを内蔵するハウジングと、
該ハウジングに回動可能に設けられたレバーと、
該ハウジングと該レバーとの間に介在し、該レバーが回動不能な状態で該モータへの通電を遮断し、該レバーが回動した状態で該モータへ通電を許容するスイッチと、を備え、
該レバーには第一の位置と第二の位置とに配置可能なボタンが設けられ、
該ボタンには、接続子が設けられ、
該スイッチは、該第一の位置において該接続子が接触可能な第一被接触子と、該第二の位置において該接続子が接触可能な第二被接触子とを有し、
該ボタンが該第一の位置と該第二の位置とのいずれか一方に配置された状態で、該レバーは回動可能になることを特徴とする電動工具。
【請求項４】
該レバーは、該ハウジングの一端に第一回動軸部を有し該第一回動軸部から他端側へと向かって延出される第一レバーと、該ハウジングの他端に第二回動軸部を有し該第二回動軸部から一端側へと向かって延出される第二レバーとを有し、
該ボタンは、該第一レバーの延出方向先端と該第二レバーの延出方向先端との間に介在していることを特徴とする特徴とする請求項３に記載の電動工具。
【請求項５】
モータと、
該モータへの通電を制御するスイッチと、
該モータを内蔵するハウジングと、
該ハウジングの前端に第一回動軸部を有し該第一回動軸部を回動軸として回動可能に後端側に延出される第一レバーと、
該ハウジングの後端に第二回動軸部を有し該第二回動軸部を回動軸として回動可能に前端側に延出される第二レバーと、
該第一レバーの後端と該第二レバーとの前端にそれぞれ回動可能に接続される接続部材と、を有し、
該スイッチは、該第一レバー若しくは該第二レバーが回動操作されることでＯＮ状態になることを特徴とする電動工具。
【請求項６】
該接続部材は、該第一レバー及び該第二レバーの回動操作を許容する許容位置と、該第一レバー及び該第二レバーの回動操作を防止する防止位置との間で移動可能であることを特徴とする請求項５に記載の電動工具。
【請求項７】
モータと、
該モータへの通電を制御する１つのスイッチと、
該モータを内蔵するハウジングと、
該ハウジングに夫々回動可能に接続され、該モータ軸方向に並んで延出される第一レバー及び第二レバーと、
該第一レバー及び該第二レバーの両方の回動動作を規制する１つのオフロック部材と、
を有し、
該オフロック部材を操作し回動動作の規制を解除しながら、該第一レバー及び該第二レバーのいずれか一方が操作されることで該スイッチがＯＮ状態にされることを特徴とした電動工具。
【請求項８】
該第一レバー及び該第二レバーは、該ハウジングと接続される回動軸部を夫々有し、該オフロック部材は、該回動軸部の間に配置されることを特徴とする請求項７記載の電動工具。
【請求項９】
該第一レバー及び該第二レバーは、一方が操作されることで他方が回動動作されることを特徴とする請求項７又は８に記載の電動工具。
【請求項１０】
該第一レバー及び該第二レバーのいずれか一方と該スイッチとの間に設けられる伝達部材を有し、該第一レバー及び該第二レバーのいずれか一方が操作されることで該伝達部材を介して該スイッチがＯＮ状態にされることを特徴とする請求項９記載の電動工具。
【発明の詳細な説明】
【技術分野】
【０００１】
本発明は電動工具に関し、特にモータの回転を制御するスイッチを備えた電動工具に関する。
【背景技術】
【０００２】
電動工具、例えばディスククラインダにおいては、特許文献１に示されるように、安全性を確保するためのスイッチを備えている。このスイッチは、作業時にハウジング等を把持した際に、スイッチが接続されるレバーを指で引いたり手のひらで押すことにより初めてモータに電力を供給している。
【先行技術文献】
【特許文献】
【０００３】
【特許文献１】実開平０４−８６１８５号公報
【発明の概要】
【発明が解決しようとする課題】
【０００４】
前記のスイッチが接続されるレバーはハウジングに設けられている。これに対して、作業者が両手でハウジングを把持する際にはいずれかの手でレバーを操作することができるが、作業者が片手でハウジングを把持する際には、その把持位置においてはレバーを操作し難い場合があった。またレバーの誤動作を防ぐロック機構を備えるディスクグラインダも存在するが、片手でハウジングを把持する際には、そのロック機構が配置される位置がによっては、ロック機構の操作性が劣ることがあった。よって本発明は、安全性を確保すると共に操作性の優れた電動工具を提供することを目的とする。
【課題を解決するための手段】
【０００５】
上記課題を解決するために、モータと、該モータを内蔵するハウジングと、該ハウジングに回動可能に設けられたレバーと、該ハウジングと該レバーとの間に介在し、該レバーが回動不能な状態でＯＦＦ状態になり該モータへの通電を遮断し、該レバーが回動した状態でＯＮ状態になり該モータへの通電を許容するスイッチと、を備え、該レバーには該レバーを回動不能にするオフロック部材が設けられ、該オフロック部材には、該スイッチの一部が設けられ、該オフロック部材が第一の方向若しくは該第一の方向とは反対の方向である第二の方向に移動することにより該スイッチはＯＮ状態になる電動工具を提供する。
【０００６】
このような構成によると、オフロック部材とレバーとが接続されているため、オフロック部材とレバーとを同時に操作することができ、操作性をよくすることができる。またオフロック部材があるため、レバーの誤動作を防止して安全性を担保することができる。
【０００８】
このような構成によると、構成部品を簡略化することができ、電動工具を軽量化して操作性を増すことができる。
【０００９】
また該レバーは、該ハウジングの一端側に第一回動軸部を有し該第一回動軸部から他端側へと向かって延出される第一レバーと、該ハウジングの他端側に第二回動軸部を有し該第二回動軸部から一端側へと向かって延出される第二レバーとを有し、該オフロック部材は、該第一レバーの延出方向先端と該第二レバーの延出方向先端との間に介在していることが好ましい。
【００１０】
このような構成によると、第一レバー及び第二レバーのいずれかを操作すればスイッチを動作させることができる。よって第一レバー及び第二レバーをハウジングにおいて把持されると想定される位置に配置することにより、ハウジングのいずれの位置を把持したとしてもスイッチを動作させてモータを駆動することができる。
【００１１】
また上記課題を解決するために、モータと、該モータを内蔵するハウジングと、該ハウジングに回動可能に設けられたレバーと、該ハウジングと該レバーとの間に介在し、該レバーが回動不能な状態で該モータへの通電を遮断し、該レバーが回動した状態で該モータへ通電を許容するスイッチと、を備え、該レバーには第一の位置と第二の位置とに配置可能なボタンが設けられ、該ボタンには、接続子が設けられ、該スイッチは、該第一の位置において該接続子が接触可能な第一被接触子と、該第二の位置において該接続子が接触可能な第二被接触子とを有し、該ボタンが該第一の位置と該第二の位置とのいずれか一方に配置された状態で、該レバーは回動可能になる電動工具を提供する。
【００１２】
このような構成によると、ボタンとレバーとが接続されているため、ボタンとレバーとを同時に操作することができ、操作性をよくすることができる。またボタンをいずれかの位置に配置しない限りはレバーが回動することはないため、レバーの誤動作を防止して安全性を担保することができる。
【００１４】
このような構成によると、構成部品を簡略化することができ、電動工具を軽量化して操作性を増すことができる。
【００１５】
また該レバーは、該ハウジングの一端に第一回動軸部を有し該第一回動軸部から他端側へと向かって延出される第一レバーと、該ハウジングの他端に第二回動軸部を有し該第二回動軸部から一端側へと向かって延出される第二レバーとを有し、該ボタンは、該第一レバーの延出方向先端と該第二レバーの延出方向先端との間に介在していることが好ましい。
【００１６】
このような構成によると、第一レバー及び第二レバーのいずれかを操作すればスイッチを動作させることができる。よって第一レバー及び第二レバーをハウジングにおいて把持されると想定される位置に配置することにより、ハウジングのいずれの位置を把持したとしてもスイッチを動作させてモータを駆動することができる。
【００１７】
また上記課題を解決するために、モータと、該モータへの通電を制御するスイッチと、該モータを内蔵するハウジングと、該ハウジングの前端に第一回動軸部を有し該第一回動軸部を回動軸として回動可能に後端側に延出される第一レバーと、該ハウジングの後端に第二回動軸部を有し該第二回動軸部を回動軸として回動可能に前端側に延出される第二レバーと、該第一レバーの後端と該第二レバーとの前端にそれぞれ回動可能に接続される接続部材と、を有し、該スイッチは、該第一レバー若しくは該第二レバーが回動操作されることでＯＮ状態になる電動工具を提供する。
【００１８】
このような構成によると、第一レバー及び第二レバーのいずれかを操作すればスイッチをＯＮ状態にして動作させることができる。また第一レバー及び第二レバーのいずれかがハウジングの前端から後端まで位置しているため、ハウジングのいずれの位置を把持したとしてもスイッチを動作させてモータを駆動することができる。
【００１９】
上記構成の電動工具において、該接続部材は、該第一レバー及び該第二レバーの回動を許容する許容位置と、該第一レバー及び該第二レバーの回動を防止する防止位置との間で移動可能であることが好ましい。
【００２０】
このような構成によると、接続部材を防止位置に配置している限りは、第一、第二レバーが回動することがないため、第一、第二レバーの誤動作を防止して安全性を担保することができる。
【００２８】
また該操作部は、該ハウジングに対して回動可能であることが好ましい。
また、上記課題を解決するために、モータと、該モータへの通電を制御する１つのスイッチと、該モータを内蔵するハウジングと、該ハウジングに夫々回動可能に接続され、該モータ軸方向に並んで延出される第一レバー及び第二レバーと、該第一レバー及び該第二レバーの両方の回動動作を規制する１つのオフロック部材と、を有し、該オフロック部材を操作し回動動作の規制を解除しながら、該第一レバー及び該第二レバーのいずれか一方が操作されることで該スイッチがＯＮ状態にされる電動工具を提供する。
上記構成の電動工具において、該第一レバー及び該第二レバーは、該ハウジングと接続される回動軸部を夫々有し、該オフロック部材は、該回動軸部の間に配置される。
また、該第一レバー及び該第二レバーは、一方が操作されることで他方が回動動作されることが好ましい。
さらに、該第一レバー及び該第二レバーのいずれか一方と該スイッチとの間に設けられる伝達部材を有し、該第一レバー及び該第二レバーのいずれか一方が操作されることで該伝達部材を介して該スイッチがＯＮ状態にされることが好ましい。
【発明の効果】
【００２９】
本発明の電動工具によれば、安全性が確保されると共に操作性をよくすることができる。
【図面の簡単な説明】
【００３０】
【図１】本発明の実施の形態に係るディスクグラインダの側面部分断面図。
【図２】本発明の実施の形態に係るディスクグラインダのハウジングにおける断面図。
【図３】本発明の実施の形態に係るディスクグラインダのオフロックボタンの動作に係る部分断面図（レバーが回動不能な状態）。
【図４】本発明の実施の形態に係るディスクグラインダのオフロックボタンの動作に係る部分断面図（レバーが回動された状態）。
【図５】本発明の実施の形態に係るディスクグラインダの第一の変形例におけるオフロックボタンの動作に係る部分断面図（レバーが回動不能な状態）。
【図６】本発明の実施の形態に係るディスクグラインダの第一の変形例におけるオフロックボタンの動作に係る部分断面図（レバーが回動された状態）。
【図７】本発明の実施の形態に係るディスクグラインダの第二の変形例におけるスイッチに係る部分断面図。
【発明を実施するための形態】
【００３１】
以下、本発明の実施の形態に係る電動工具について、図１乃至図４に基づき説明する。図１に示される電動工具であるディスクグラインダ１は、ハウジング２と、スイッチ機構３と、モータ４（図２）と、ギア機構５と、から主に構成され、ギア機構５に接続される切削刃１０により切削、研磨等を行う工具である。
【００３２】
ハウジング２は、スイッチ機構３及びモータ４を保持するメインハウジング２１と、ギア機構５を保護するギアケース２２と、切削刃１０を保護するカバー２３とから主に構成されている。メインハウジング２１は、軸方向一端が開口し軸方向他端が閉止された筒状に構成され、その筒の内部にスイッチ機構３及びモータ４が内蔵され、軸方向一端側にギアケース２２が装着されている。以下の説明においては、この筒状の軸方向であってメインハウジング２１からギアケース２２に向かう方向を前側として前後方向を定義する。メインハウジング２１において、その筒状の外周面の一部には、レバー収容部２１ａが前後方向に延びる溝状に形成されている。レバー収容部２１ａ内において略中央位置には前後に並んだ一対の第一凹部２１ｂ、第二凹部２１ｃが形成されており、第一凹部２１ｂと第二凹部２１ｃとの間には、レバー収容部２１ａの底面の一部を成す当接面２１Ａが規定されている。第一凹部２１ｂの穿孔位置は、後述のオフロックボタン３５が最も前方へ移動した際に、オフロックボタン３５の前後方向における中央位置と対応している。また第二凹部２１ｃの穿孔位置は、後述のオフロックボタン３５が最も後方へ移動した際に、オフロックボタン３５の前後方向における中央位置と対応している。メインハウジング２１においてその後端位置には、外部電源に接続される電源ケーブル２Ａが配置されている。
【００３３】
ギアケース２２は、メインハウジング２１の前側に配置されてメインハウジング２１の開口を閉止すると共に、内部にギア機構５を回転可能に軸支するベアリング及びメタルを複数備えている。
【００３４】
カバー２３は、ギアケース２２の後述のスピンドル５２Ａの装着部５２Ｃ近傍位置に配置され、切削刃１０の外周を覆うと共に切削刃１０の前側が露出するように構成されている。
【００３５】
スイッチ機構３は、制御部３１と、スイッチ部３２と、第一レバー３３と、第二レバー３４と、オフロックボタン３５とから主に構成されている。制御部３１は、メインハウジング２１内において後端側に配置され、電源ケーブル２Ａから供給される電力をスイッチ部３２からのＯＮ信号に基づきモータ４へと供給し、スイッチ部３２からのＯＦＦ信号に基づきモータ４への通電を遮断している。尚、制御部３１とスイッチ部３２とからモータ４への通電を許容及び遮断するスイッチを構成している。
【００３６】
スイッチ部３２は、基板３２Ａと、第一被接触子である第一スイッチ３２Ｂと、第二被接触子である第二スイッチ３２Ｃとから主に構成され、導線により制御部３１と接続されている。基板３２Ａは、メインハウジング２１内において、第一凹部２１ｂ、第二凹部２１ｃが形成されている壁位置に設けられている。第一スイッチ３２Ｂは基板３２Ａ上に配置され、その頭部が第一凹部２１ｂ内に露出して第一凹部２１ｂの底壁を構成している。第二スイッチ３２Ｃは、その頭部が第二凹部２１ｃ内に露出して第二凹部２１ｃの底壁を構成している。基板３２Ａは、これら第一スイッチ３２Ｂ、第二スイッチ３２Ｃが押されていない状態で制御部３１にＯＦＦ信号を送信し、第一スイッチ３２Ｂ及び第二スイッチ３２Ｃのいずれか一方が押された状態でＯＮ信号を制御部３１に送信している。
【００３７】
第一の操作部である第一レバー３３は、レバー収容部２１ａ内の前側に収容され、レバー収容部２１ａ内の前端側位置にメインハウジング２１と接続される第一回動軸部３３Ａを有し、第一回動軸部３３Ａから後側へ向かって延出される長尺状に構成されている。第一回動軸部３３Ａは、前後方向と直交する方向を回動軸として、第一レバー３３をメインハウジング２１に対して回動可能にしている。また第一回動軸部３３Ａには、第一レバー３３を図２紙面上で時計回りに回転するように付勢する図示せぬバネが仕込まれている。第一レバー３３の延出方向先端である最後端は前後方向において第一凹部２１ｂの前側近傍に位置しており、第一レバー３３の最後端より僅かに前側位置には第一段部３３ａが形成されている。第一レバー３３の第一段部３３ａから更に後端側は、第一段部３３ａより前端側に比べて細くなるように構成されている。また第一レバー３３の最後端位置には、第一レバー３３の延出方向を伸縮方向とするコイルバネである第一バネ３３Ｂが設けられている。
【００３８】
第二の操作部である第二レバー３４は、レバー収容部２１ａ内の後側に収容され、レバー収容部２１ａ内の後端側位置にメインハウジング２１と接続される第二回動軸部３４Ａを有し、第二回動軸部３４Ａから前側へ向かって延出される長尺状に構成されている。第二回動軸部３４Ａは、第一回動軸部３３Ａの回動軸と平行な回動軸で、第二レバー３４をメインハウジング２１に対して回動可能にしている。また第二回動軸部３４Ａには、第二レバー３４を図２紙面上で反時計回りに回転するように付勢する図示せぬバネが仕込まれている。第二レバー３４の延出方向先端である最前端は前後方向において第二凹部２１ｃの後側近傍に位置しており、第二レバー３４の最前端より僅かに後側位置には第二段部３４ａが形成されている。第二レバー３４の第二段部３４ａから更に前端側は、第二段部３４ａより後端側に比べて細くなるように構成されている。また第二レバー３４の最前端位置には、第二レバー３４の延出方向を伸縮方向とするコイルバネである第二バネ３４Ｂが設けられている。
【００３９】
接続部材であるオフロックボタン３５は、図３に示されるように、主に本体部３５Ａと、ツマミ３５Ｂと、接触子３５Ｃとから構成されている。本体部３５Ａには、前端位置に前方から後方に向かって穿設された第一穿孔３５ａと、後端位置に後方から前方に向かって穿孔された第二穿孔３５ｂとが形成され、第一レバー３３と第二レバー３４とにそれぞれ接続されている。具体的には、第一穿孔３５ａ内に付勢部材である第一バネ３３Ｂ及び第一レバー３３の後端部分が挿入されて第一バネ３３Ｂの後端と第一穿孔３５ａの底壁とが接続され、第二穿孔３５ｂ内に付勢部材である第二バネ３４Ｂ及び第二レバー３４の前端部分が挿入されて第二バネ３４Ｂの前端と第二穿孔３５ｂの底壁とが接続されることにより、本体部３５Ａが第一レバー３３と第二レバー３４とにそれぞれ接続される。第一穿孔３５ａの孔径は、第一レバー３３の第一段部３３ａより後側のみが挿入可能な径に形成され、第二穿孔３５ｂの孔径は、第二レバー３４の第二段部３４ａより前側のみが挿入可能な径に形成されている。また第一穿孔３５ａと第二穿孔３５ｂとは同軸上に形成されている。
【００４０】
オフロックボタン３５は、第一バネ３３Ｂ及び第二バネ３４Ｂを介して第一レバー３３及び第二レバー３４に接続されることにより、第一レバー３３及び第二レバー３４に対して前方（第一の方向）及び後方（第二の方向）に移動することが可能になる。尚、オフロックボタン３５が前側に移動する際には第一レバー３３の後端が第一穿孔３５ａ内に挿入されるが、上述のように第一レバー３３の第一段部３３ａより前側は第一穿孔３５ａ内に挿入できないため、第一段部３３ａを画成する壁面が本体部３５Ａの前端面と当接する位置で、オフロックボタン３５の最も前側に移動した位置（第一の位置）が規定される。同様にオフロックボタン３５の最も後側に移動した位置（第二の位置）も、第二段部３４ａを画成する壁面が本体部３５Ａの後端面と当接する位置で規定される。
【００４１】
また第一バネ３３Ｂ及び第二バネ３４Ｂはコイルバネであるため、屈曲することも可能である。故に第一バネ３３Ｂ及び第二バネ３４Ｂを介して第一レバー３３及び第二レバーとオフロックボタン３５が接続された状態では、オフロックボタン３５は第一レバー３３及び第二レバー３４に対して僅かに回動することが可能になる。
【００４２】
ツマミ３５Ｂは、本体部３５Ａから、反メインハウジング２１側に向けて突出し、図１に示されるように、少なくともその先端がレバー収容部２１ａ（図２）内から露出するように構成されている。
【００４３】
接触子３５Ｃは、オフロックボタン３５が前側若しくは後側に操作されていない状態で、当接面２１Ａと対向するように本体部３５Ａからメインハウジング２１側に向けて突出し、本体部３５Ａと合わせて凸部を構成している。また接触子３５Ｃは、オフロックボタン３５の前後方向における中心位置に配置されており、その突出方向と直交する断面が第一凹部２１ｂ、第二凹部２１ｃの孔より小さくなるように構成されている。上述のように、第一凹部２１ｂ、第二凹部２１ｃは、それぞれオフロックボタン３５が最も前方及び最も後方に移動した際にオフロックボタン３５の前後方向における中心位置と対応する位置に形成されているため、オフロックボタン３５が最も前方及び最も後方に移動した際には、接触子３５Ｃを第一凹部２１ｂ内及び第二凹部２１ｃ内に挿入することができ、接触子３５Ｃにより第一スイッチ３２Ｂ、第二スイッチ３２Ｃを押すことができる。
【００４４】
上述のように、スイッチ部３２は、メインハウジング２１に設けられ、第一レバー３３及び第二レバー３４により、オフロックボタン３５を介して間接的に操作される。即ち、スイッチ部３２は、ハウジング２と第一レバー３３及び第二レバー３４との間に介在し、第一レバー３３及び第二レバー３４が回動不能な状態でＯＦＦ状態になりモータ４への通電を遮断し、第一レバー３３及び第二レバー３４が回動した状態でＯＮ状態になりモータ４への通電を許容している。尚、第一レバー３３及び第二レバー３４が回動可能、回動不能な状態に関わらず、第一レバー３３及び第二レバー３４とメインハウジング２１との間に介在する上述の図示せぬバネにより、第一レバー３３及び第二レバー３４が付勢された状態で、オフロックボタン３５がスイッチ部３２から最も離間した位置においては、スイッチ部３２はＯＦＦ状態になる。即ち、オフロックボタン３５を最も前方または最も後方に移動させ、かつ第一レバー３３及び第二レバー３４を図示せぬバネに抗って回動させて、初めてスイッチ部３２をＯＮ動作させることが可能になる。
【００４５】
モータ４は回転軸部４１を有しており、メインハウジング２１内において制御部３１の前側に、回転軸部４１の軸方向が前後方向と一致するように配置されている。回転軸部４１は、モータ４の前側に突出しており、ベアリングによりギアケース２２に軸支されていると共に、根元部分にファン４２が回転軸部４１と同軸一体回転するように固定されている。
【００４６】
ギア機構５は、ピニオンギア５１と、スピンドル部５２とから主に構成され、ギアケース２２内に配置されている。ピニオンギア５１は、回転軸部４１の前端部分に設けられており、傘歯ギア状に構成されている。
【００４７】
スピンドル部５２は、スピンドル５２Ａとギア５２Ｂとから主に構成されている。スピンドル５２Ａは、ギアケース２２内に回転軸部４１と直交するようにメタル及びベアリングにより回転可能に軸支されており、その先端である装着部５２Ｃがギアケース２２から露出するように構成されている。ギア５２Ｂは、傘歯ギアであり、ピニオンギア５１と噛合すると共にスピンドル５２Ａに同軸一体回転するように装着されている。
【００４８】
切削刃１０は、円板状の切断砥石であり、装着部５２Ｃに治具５２Ｄによってスピンドル５２Ａと同軸一体回転するように固定されている。
【００４９】
上記構成のディスクグラインダ１を使用する際には、先ずツマミ３５Ｂを操作してオフロックボタン３５を前方若しくは後方のいずれか（図４では後方に移動）に最大限移動させる。その後に、オフロックボタン３５を移動させた状態でメインハウジング２１を把持すると共に第一レバー３３、第二レバー３４、及びオフロックボタン３５のいずれかを押し込んで第一レバー３３及び第二レバー３４を回動させることにより、図４に示されるように接触子３５Ｃで第二スイッチ３２Ｃを押し、制御部３１にＯＮ信号を出力して、モータ４に電力を供給・駆動し、切削刃１０を回転させ、作業を行うことができる。
【００５０】
上述のように、オフロックボタン３５を介して第一レバー３３と第二レバー３４とが接続されているため、第一レバー３３と第二レバー３４とのいずれかに対して押し込む操作をすることにより、第一レバー３３及び第二レバー３４を同時に回動させることができる。第一レバー３３及び第二レバー３４は、作業者が把持する箇所であるメインハウジング２１の略前端から略後端位置まで配置されているため、前後方向においてメインハウジング２１のいずれの位置を把持したとしても、第一レバー３３若しくは第二レバー３４のいずれかを操作することができる。即ち、メインハウジング２１のいずれの位置を把持したとしても第一スイッチ３２Ｂ若しくは第二スイッチ３２Ｃを動作させてモータ４を駆動することができ、操作性が向上する。
【００５１】
またオフロックボタン３５が前方若しくは後方へと動いていない状態では、接触子３５Ｃは当接面２１Ａと対向しているため、第一レバー３３、第二レバー３４、及びオフロックボタン３５のいずれかを押し込んだとしても、接触子３５Ｃと当接面２１Ａとが当接して押し込むことができず、第一レバー３３、第二レバー３４が回動することも防がれ、第一スイッチ３２Ｂ及び第二スイッチ３２Ｃが押されることがない。よって制御部３１にＯＮ信号が送信されることはなく、モータ４への通電は遮断された状態を保って誤作動が防がれるので、安全性を確保することができる。また、オフロックボタン３５のみで、第一スイッチ３２Ｂ及び第二スイッチ３２Ｃへの押圧、及び誤動作を制御しているので、ディスクグラインダ１を構成する部品の増加が抑制されて構成部品を簡略化することができ、ディスクグラインダ１の軽量化を図って操作性を向上させることができる。
【００５２】
また本実施の形態に係るレバーである第一レバー３３と第二レバー３４とは、それぞれメインハウジング２１の前端位置と後端位置とに回動軸を備えているため、例えば第一レバー３３の長さをＬ１、第二レバー３４の長さをＬ２とした際に、第一レバー３３を角度α（αは微少角）回動させるのに必要な前後方向と直交する方向の移動量は、Ｌ１ｔａｎα≒Ｌ１αとなる。これに対して例えば第一レバー３３と第二レバー３４とを足した長さ（Ｌ１＋Ｌ２）のレバーを、第一レバー３３と同位置の回転軸でメインハウジング２１に接続し、第一レバー３３と同様に角度α回動させるのに必要な移動量は（Ｌ１＋Ｌ２）ｔａｎα≒（Ｌ１＋Ｌ２）αとなり、移動量が大きくなる。
【００５３】
即ち、本実施の形態に係る第一レバー３３（Ｌ１）と第二レバー３４（Ｌ２）とを用いることにより、第一レバー３３と第二レバー３４とを足した長さのレバー（Ｌ１＋Ｌ２）に比べて、同一回動角度ならば移動量を少なくすることができる。移動量が小さくなることにより、ハウジング２から第一レバー３３、第二レバー３４及びオフロックボタン３５が突出する突出量を小さくすることができ、この突出量が小さくなることにより、第一レバー３３及び第二レバー３４が他の物に当接することによる誤動作を抑制し、かつディスクグラインダ１の外径を小さく構成することができる。
【００５４】
尚、オフロックボタン３５は前後方向に延びる第一レバー３３及び前後方向に延びる第二レバー３４の第一回動軸部３３Ａ及び第二回動軸部３４Ｂから最も離間した位置に配置されている。この位置は、前後方向と直交する方向の移動量が最も大きな位置であるため、ハウジング２から第一レバー３３、第二レバー３４及びオフロックボタン３５の突出量が小さくなっていても、オフロックボタン３５の移動量は確保される。故に、第一レバー３３、第二レバー３４及びオフロックボタン３５の突出量が小さくとも、作業者へのＯＮ／ＯＦＦの動作の違いは明確に伝わり、作業者の操作性をよくすることができる。
【００５５】
本発明による電動工具は、上述の実施の形態に限定されず、特許請求の範囲に記載された範囲で種々の改良や変形が可能である。例えば図５に示されるように、第一の変形例として、被接触子として磁気センサである第一ホール素子１３２Ｂ、第二ホール素子１３２Ｃを使用し、接触子として磁石１３５Ｃを用いてもよい。この構成においても、図６に示されるように、オフロックボタン３５を前後に移動させ（図６では後方に移動）、磁石１３５Ｃを第二ホール素子１３２Ｃに感知させることにより、制御部３１（図２）にＯＮ信号が発信されてモータ４の回転を制御することができる。この構成においては、被接触子である磁石１３５Ｃもスイッチの一部として機能している。
【００５６】
磁石１３５及び第一、第二ホール素子１３２Ｂ、Ｃを使用することにより、磁石１３５と第一、第二ホール素子１３２Ｂ、Ｃとを直接接触させずとも、第一、第二ホール素子１３２Ｂ、Ｃが磁石１３５を感知すればよい。よって摩耗等が発生せず、磁石１３５と第一、第二ホール素子１３２Ｂ、Ｃとの耐久性を向上させ高寿命化を図ることができる。また一、第二ホール素子１３２Ｂ、Ｃが磁石１３５を感知すればよいため、機械的に押し込む必要がなく、故に第一、第二レバー３３、３４を動作させるのに必要な力を小さくして操作性をよくすることができる。
【００５７】
また第二の変形例として、図７に示されるように、スイッチとして一般に用いられているトグルレバー２３２Ａを備えるトグルスイッチ２３２を用いてもよい。トグルスイッチ２３２を用いる構成においては、トグルレバー２３２Ａの回動方向が前後方向と交差するようにトグルスイッチ２３２が配置されている。トグルスイッチ２３２は、トグルレバー２３２Ａが第二レバー３４側に位置している時にＯＦＦ信号を発信し、反第二レバー３４側に位置している時にＯＮ信号を発するように構成されている。またトグルレバー２３２Ａと第二レバー３４との間には、第二レバー３４の回動による前後方向と直交する方向への移動をトグルレバー２３２Ａに伝達する伝達部材２３６が配置されている。第二レバー３４には、伝達部材２３６と当接して伝達部材２３６を受ける受け部２３４Ｃが設けられている。伝達部材２３６は、バネ２３６Ａを介してメインハウジング２１に前後方向と直交する方向へ移動可能に支持されており、バネ２３６Ａにより、トグルスイッチ２３２から第二レバー３４へと向かう方向へと付勢されている。伝達部材２３６には、トグルレバー２３２Ａが挿入される凹部２３６ａが形成されている。
【００５８】
この図７に示される構成において、作業者がメインハウジング２１を把持し、オフロックボタン３５を前側若しくは後側に移動して第一レバー３３若しくは第二レバー３４を押し、第二レバー３４を回動させることにより、伝達部材２３６がバネ２３６Ａの付勢力に抗って第二レバー３４からトグルスイッチ２３２へと向かう方向へと移動する。伝達部材２３６の移動により、凹部２３６ａ内に挿入されているトグルレバー２３２Ａが回動して、トグルスイッチ２３２がＯＮ状態になってＯＮ信号が発信される。また作業者が第一レバー３３若しくは第二レバー３４から手を離すことにより、バネ２３６Ａの付勢力により、伝達部材２３６がトグルスイッチ２３２から第二レバー３４へと向かう方向へと移動し、この移動に伴いトグルレバー２３２Ａが第二レバー３４側へと移動し、トグルスイッチ２３２はＯＦＦ信号を発信することになる。
【００５９】
尚、本実施の形態及び第一変形例においては、オフロックボタン３５を後側に移動して第一レバー３３及び第二レバー３４を回動させたが、これに限らず、前側に移動して第一レバー３３及び第二レバー３４を回動させてもよい。またオフロックボタン３５は、第一凹部２１ｂ、第二凹部２１ｃが前後に並んでいるため、前後に移動可能に構成されて第一レバー３３及び第二レバー３４を回動可能にした。しかし、このような構成に限らず、凹部２１ｂ、第二凹部２１ｃを前後と交差する方向、例えば図２におけるメインハウジング２１の筒形状における周方向に並ぶように形成して、オフロックボタン３５も同様に周方向に移動する構成を採ってもよい。
【産業上の利用可能性】
【００６０】
本発明の電動工具は、上述の実施の形態で説明したディスクグラインダに限定されず、モータ等が内蔵されるハウジングを作業者が把持する構成を採る電動工具、例えばセイバーソー等にも、上述の実施の形態と同様に適用することができる。
【符号の説明】
【００６１】
１・・ディスクグラインダ  ２・・ハウジング  ２Ａ・・電源ケーブル
３・・スイッチ機構  ４・・モータ  ５・・ギア機構
１０・・切削刃  ２１・・メインハウジング  ２１Ａ・・当接面
２１ａ・・レバー収容部  ２１ｂ・・第一凹部  ２１ｃ・・第二凹部
２２・・ギアケース  ２３・・カバー  ３１・・制御部  ３２・・スイッチ部
３２Ａ・・基板  ３２Ｂ・・第一スイッチ  ３２Ｃ・・第二スイッチ
３３・・第一レバー  ３３Ａ・・第一回動軸部  ３３Ｂ・・第一バネ
３３ａ・・第一段部  ３４・・第二レバー  ３４Ａ・・第二回動軸部
３４Ｂ・・第二バネ  ３４ａ・・第二段部  ３５・・オフロックボタン
３５Ａ・・本体部  ３５Ｂ・・ツマミ  ３５Ｃ・・接触子  ３５ａ・・第一穿孔
３５ｂ・・第二穿孔  ４１・・回転軸部  ４２・・ファン  ５１・・ピニオンギア
５２・・スピンドル部  ５２Ａ・・スピンドル  ５２Ｂ・・ギア
５２Ｃ・・装着部  ５２Ｄ・・治具  １３２Ｂ・・第一ホール素子
１３２Ｃ・・第二ホール素子  １３５Ｃ・・磁石  ２３２・・トグルスイッチ
２３２Ａ・・トグルレバー  ２３４Ｃ・・受け部  ２３６・・伝達部材
２３６Ａ・・バネ  ２３６ａ・・凹部
【図１】
0005541497.tif 000002
【図２】
0005541497.tif 000003
【図３】
0005541497.tif 000004
【図４】
0005541497.tif 000005
【図５】
0005541497.tif 000006
【図６】
0005541497.tif 000007
【図７】
0005541497.tif 000008